(57)【要約】【課題】迅速且つ正確な入力をすることを容易にする【解決手段】画面上に表示された入力キーを指示することで入力操作が行われる表示入力装置が設置される。またマイクロフォンに入力した音声を音声認識して、音声認識の結果の候補（以下、認識候補という）を複数特定する。その後、音声認識の尤度が高い順に拡大率が高くなるように、認識候補に対応する文字キー２１（以下、認識候補キーという）の拡大率を決定する。更に認識候補キーを拡大した後の表示入力装置の名称入力画面２０のレイアウトを決定する。例えば文字キー２１間の距離Ｄ１が所定値以上となるように文字キー２１の配置を変更する。そして、決定したレイアウトとなるように名称入力画面２０を表示入力装置に表示させる。これにより名称入力画面２０は、認識候補キー２１ａ，２１ｂ，２１ｃが拡大された場合に、全ての文字キー２１が互いに重ならないように表示される（図（ｂ）参照）。【選択図】図３
2009139544.tif 000002
【特許請求の範囲】
【請求項１】
音声を入力する音声入力手段と、
前記音声入力手段に入力した音声を認識する音声認識手段と、
前記音声認識手段により認識可能な情報である認識可能情報を示す入力キーを表示するとともに、該表示された入力キーを指定可能に構成された表示入力手段と、
前記音声認識手段による認識結果に基づいて、該認識結果に対応する前記入力キーを拡大表示にするように、前記表示入力手段を制御する表示制御手段と
を備えることを特徴とする入力装置。
【請求項２】
前記認識可能情報は、文字または文字列である
ことを特徴とする請求項１に記載の入力装置。
【請求項３】
前記認識可能情報は、当該入力装置に指示するためのコマンドである
ことを特徴とする請求項１に記載の入力装置。
【請求項４】
前記音声認識手段は、
前記認識可能情報を複数認識するとともに、該認識された複数の前記認識可能情報のそれぞれについて、音声認識の尤度を算出し、
前記表示制御手段は、
前記音声認識手段に算出された前記尤度に基づいて、該尤度が大きいほど前記入力キーが大きくなるように、前記認識結果に対応する前記入力キーを拡大表示にする
ことを特徴とする請求項１〜請求項３の何れかに記載の入力装置。
【請求項５】
前記表示入力手段は、
使用者が行う操作によって、前記入力キーが指定される
ことを特徴とする請求項１〜請求項４の何れかに記載の入力装置。
【請求項６】
前記表示制御手段は、
前記入力キーを拡大表示にする場合に、前記入力キーが徐々に拡大するようにして表示する
ことを特徴とする請求項１〜請求項５の何れかに記載の入力装置。
【請求項７】
前記表示制御手段は、
前記入力キーが拡大表示されてから、予め設定された拡大解除時間が経過すると、拡大表示された前記入力キーを、拡大表示される前の表示である拡大前通常表示にする
ことを特徴とする請求項１〜請求項６の何れかに記載の入力装置。
【請求項８】
前記表示制御手段は、
拡大表示された前記入力キーを前記拡大前通常表示にする場合に、前記入力キーが徐々に縮小するようにして表示する
ことを特徴とする請求項７に記載の入力装置。
【請求項９】
前記表示制御手段は、
前記音声認識手段による認識結果に対応しない前記入力キーを縮小表示にする
ことを特徴とする請求項１〜請求項８の何れかに記載の入力装置。
【請求項１０】
前記表示制御手段は、
前記入力キーを縮小表示にする場合に、前記入力キーが徐々に縮小するようにして表示する
ことを特徴とする請求項９に記載の入力装置。
【請求項１１】
前記表示制御手段は、
前記入力キーが縮小表示されてから、予め設定された縮小解除時間が経過すると、縮小表示された前記入力キーを、縮小表示される前の表示である縮小前通常表示にする
ことを特徴とする請求項９または請求項１０に記載の入力装置。
【請求項１２】
前記表示制御手段は、
縮小表示された前記入力キーを前記縮小前通常表示にする場合に、前記入力キーが徐々に拡大するようにして表示する
ことを特徴とする請求項１１に記載の入力装置。
【請求項１３】
前記表示制御手段は、
前記認識結果に対応する前記入力キーを拡大表示にする場合において、前記表示入力手段により表示されている前記入力キーが互いに重ならないようにして表示する
ことを特徴とする請求項１〜請求項１２の何れかに記載の入力装置。
【請求項１４】
前記表示制御手段は、
前記認識結果に対応する前記入力キーを拡大表示にする場合において、該拡大表示前に前記表示入力手段により表示されていた前記入力キーが非表示とならないようにする
ことを特徴とする請求項１〜請求項１２の何れかに記載の入力装置。
【請求項１５】
前記表示制御手段は、
前記認識結果に対応する前記入力キーを拡大表示にする場合において、拡大表示される前記入力キーが、拡大表示されない前記入力キーの前面に重なるようにして表示する
ことを特徴とする請求項１〜請求項１２の何れかに記載の入力装置。
【請求項１６】
前記表示制御手段は、
前記認識結果に対応する前記入力キーを拡大表示にする場合において、該拡大表示される前記入力キー以外の前記入力キーが非表示となるようにする
ことを特徴とする請求項１〜請求項１２の何れかに記載の入力装置。
【請求項１７】
前記音声認識手段は、
当該入力装置が起動している間は常時動作する
ことを特徴とする請求項１〜請求項１６の何れかに記載の入力装置。
【請求項１８】
前記音声認識手段の作動開始を指示するための音声認識開始指示を受け付ける開始指示手段を備え、
前記音声認識手段は、
前記開始指示手段が前記音声認識開始指示を受け付けると動作を開始する
ことを特徴とする請求項１〜請求項１６の何れかに記載の入力装置。
【請求項１９】
車両に搭載されることを特徴とする請求項１〜請求項１８の何れかに記載の入力装置。
【発明の詳細な説明】
【技術分野】
【０００１】
本発明は、複数の入力キーを画面に表示し、表示された入力キーを指定可能な入力装置に関する。
【背景技術】
【０００２】
従来、話者によって入力された音声を音声認識することにより、話者の意図する文字を入力する入力装置が知られている。このような入力装置では、音声認識における誤認識に起因して、文字の誤入力が発生するおそれがある。そこで、音声認識により認識された文字の候補を複数表示して、これらの候補の中から、話者が意図したものを話者に選択させることで、文字の誤入力の低減を図った入力装置が知られている。
【０００３】
例えば、５０音の文字に対応する入力キーを表示するとともに、表示された入力キーの各々を指定入力可能なタッチパネルディスプレイを備え、音声認識により認識された文字に対応する入力キーを強調表示する入力装置が知られている（例えば、特許文献１を参照）。
【特許文献１】特開２００７−２１２６５８号公報
【発明の開示】
【発明が解決しようとする課題】
【０００４】
しかし、上述の特許文献１に記載の入力装置は例えばカーナビゲーション装置で利用されており、ディスプレイの表示画面が小さくなる。つまり、多数の入力キーを表示画面上に配置すると個々の入力キーが小さくなる。このため、強調表示された入力キー上に表示されている小さい文字を迅速に確認することや、小さい入力キーを指で押す、或いはポインタで指し示すなどして所望の入力キーを正確に選択することが困難になるという問題があった。
【０００５】
本発明は、こうした問題に鑑みなされたものであり、迅速且つ正確な入力をすることを容易にする入力装置を提供することを目的とする。
【課題を解決するための手段】
【０００６】
上記目的を達成するためになされた請求項１に記載の入力装置では、音声入力手段が音声を入力し、音声認識手段が、音声入力手段に入力した音声を認識する。また表示入力手段は、音声認識手段により認識可能な情報である認識可能情報を示す入力キーを表示するとともに、表示された入力キーを指定可能に構成されている。そして表示制御手段が、音声認識手段による認識結果に基づいて、認識結果に対応する入力キーを拡大表示にするように、表示入力手段を制御する。
【０００７】
このように構成された入力装置によれば、表示入力手段の表示画面上に多くの入力キーが配置されて個々の入力キーが小さい場合であっても、多数の入力キーの中から所望の入力キーが拡大される。このため、表示入力手段の表示画面上において所望の入力キーを指で押す、或いはポインタで指し示すための領域を確保し易くなる。これにより使用者は、所望の入力キーを迅速且つ正確に選択することが容易になる。
【０００８】
また、小さい入力キー上に文字（以下、入力キー上に記載された文字を「キー文字」という）が表示されておりキー文字が視認し難い場合であっても、入力キーの拡大表示によってキー文字も拡大表示することができるので、視覚による入力キーの識別が容易になる。これにより、所望の入力キーを迅速且つ正確に選択することが容易になる。
【０００９】
なお、請求項１に記載の入力装置では、請求項２に記載のように、認識可能情報が文字または文字列であるようにしてもよいし、請求項３に記載のように、認識可能情報は、当該入力装置に指示するためのコマンドであるようにしてもよい。これにより、文字または文字列やコマンドを入力キーに割り当てることができる。
【００１０】
また、請求項１〜請求項３の何れかに記載の入力装置では、請求項４に記載のように、音声認識手段が、認識可能情報を複数認識するとともに、認識された複数の認識可能情報のそれぞれについて、音声認識の尤度を算出し、表示制御手段が、音声認識手段に算出された尤度に基づいて、尤度が大きいほど入力キーが大きくなるように、認識結果に対応する入力キーを拡大表示にするようにしてもよい。
【００１１】
このように構成された入力装置によれば、入力キーの大きさが大きいほど音声認識の尤度が大きいということを、使用者に認識させることができる。このため、認識可能情報が複数存在し、複数の認識可能情報に対応する入力キーがそれぞれ拡大表示された場合に、使用者が、拡大表示された複数の入力キーの中から最も大きい入力キーを探し出せば、その入力キーが所望の入力キーである可能性が高くなる。これにより使用者は、複数の入力キーが拡大表示された場合に、所望の入力キーを迅速且つ正確に選択することが容易になる。
【００１２】
また、請求項１〜請求項４の何れかに記載の入力装置では、請求項５に記載のように、  表示入力手段は、使用者が行う操作によって、入力キーが指定されるようにするとよい。このように構成された入力装置によれば、入力キーが拡大表示された後の入力キー確定を、使用者が行う操作によって行うことができる。
【００１３】
また、請求項１〜請求項５の何れかに記載の入力装置では、請求項６に記載のように、表示制御手段が、入力キーを拡大表示にする場合に、入力キーが徐々に拡大するようにして表示するようにしてもよい。
【００１４】
このように構成された入力装置によれば、通常の大きさから拡大された後の大きさに入力キーが突然変化するように表示した場合と比較して、入力キーが拡大したことを使用者に認識させ易くなる。つまり、表示入力手段の表示画面に表示された複数の入力キーの中から、拡大表示された入力キーを認識させ易くなる。これにより使用者は、所望の入力キーを迅速且つ正確に選択することが更に容易になる。
【００１５】
また、請求項１〜請求項６の何れかに記載の入力装置では、請求項７に記載のように、表示制御手段が、入力キーが拡大表示されてから、予め設定された拡大解除時間が経過すると、拡大表示された入力キーを、拡大表示される前の表示である拡大前通常表示にするようにしてもよい。このように構成された入力装置によれば、拡大表示を解除して拡大前通常表示にするための操作を省略することができ、使い勝手が向上する。
【００１６】
また請求項７に記載の入力装置では、請求項８に記載のように、表示制御手段が、拡大表示された入力キーを拡大前通常表示にする場合に、入力キーが徐々に縮小するようにして表示するようにしてもよい。このように構成された入力装置によれば、拡大された後の大きさから通常の大きさに入力キーが突然変化するように表示した場合と比較して、拡大前通常表示に戻ったことを使用者に認識させ易くなる。
【００１７】
また、請求項１〜請求項８の何れかに記載の入力装置では、請求項９に記載のように、表示制御手段が、音声認識手段による認識結果に対応しない入力キーを縮小表示にするようにしてもよい。
【００１８】
このように構成された入力装置によれば、拡大表示された入力キーと、それ以外の入力キー、即ち認識結果に対応しない入力キーとを比較した場合において、拡大表示された入力キーの相対的な大きさが大きくなる。このため、拡大表示された入力キー、即ち認識結果に対応する入力キーを、使用者に更に認識させ易くすることができる。
【００１９】
また請求項９に記載の入力装置では、請求項１０に記載のように、表示制御手段が、入力キーを縮小表示にする場合に、入力キーが徐々に縮小するようにして表示するようにして表示するようにしてもよい。このように構成された入力装置によれば、通常の大きさから縮小された後の大きさに入力キーが突然変化するように表示した場合と比較して、入力キーが縮小したことを使用者に認識させ易くなる。
【００２０】
また、請求項９または請求項１０に記載の入力装置では、請求項１１に記載のように、表示制御手段は、入力キーが縮小表示されてから、予め設定された縮小解除時間が経過すると、縮小表示された入力キーを、縮小表示される前の表示である縮小前通常表示にするようにしてもよい。このように構成された入力装置によれば、縮小表示を解除して縮小前通常表示にするための操作を省略することができ、使い勝手が向上する。
【００２１】
また請求項１１に記載の入力装置では、請求項１２に記載のように、表示制御手段が、縮小表示された入力キーを縮小前通常表示にする場合に、入力キーが徐々に拡大するようにして表示するようにしてもよい。このように構成された入力装置によれば、縮小された後の大きさから通常の大きさに入力キーが突然変化するように表示した場合と比較して、縮小前通常表示に戻ったことを使用者に認識させ易くなる。
【００２２】
また、請求項１〜請求項１２の何れかに記載の入力装置では、請求項１３に記載のように、表示制御手段が、認識結果に対応する入力キーを拡大表示にする場合において、表示入力手段により表示されている入力キーが互いに重ならないようにして表示するようにしてもよいし、請求項１４に記載のように、表示制御手段が、認識結果に対応する入力キーを拡大表示にする場合において、拡大表示前に表示入力手段により表示されていた入力キーが非表示とならないようにするようにしてもよい。
【００２３】
このように構成された入力装置によれば、拡大表示された入力キーだけでなく、それ以外の入力キーも表示入力手段により表示される。これにより使用者は、拡大表示された入力キーの中に所望の入力キーが存在しない場合であっても、拡大表示された入力キー以外の入力キーの中から所望の入力キーを探し出すことができる。
【００２４】
また、請求項１〜請求項１２の何れかに記載の入力装置では、請求項１５に記載のように、表示制御手段は、認識結果に対応する入力キーを拡大表示にする場合において、拡大表示される入力キーが、拡大表示されない入力キーの前面に重なるようにして表示するようにしてもよい。
【００２５】
このように構成された入力装置によれば、入力キーが互いに重ならないようにして表示する場合と比較して、重ならないようにして表示するための処理を省略することができる。これにより、表示制御手段による処理を簡略化できる。
【００２６】
また、請求項１〜請求項１２の何れかに記載の入力装置では、請求項１６に記載のように、表示制御手段が、認識結果に対応する入力キーを拡大表示にする場合において、拡大表示される入力キー以外の入力キーが非表示となるようにしてもよい。
【００２７】
このように構成された入力装置によれば、認識結果に対応する入力キーのみが表示される。このため、使用者は、入力キーの大きさに基づいて、認識結果に対応する入力キーであるか否かを判断する必要がなくなる。これにより使用者は、所望の入力キーを迅速且つ正確に選択することが更に容易になる。
【００２８】
また、請求項１〜請求項１６の何れかに記載の入力装置では、請求項１７に記載のように、音声認識手段は、当該入力装置が起動している間は常時動作するようにしてもよい。このように構成された入力装置によれば、使用者の独り言や他人との会話での発話を音声認識して、その中に含まれる語彙に対応する入力キーを拡大することができる。
【００２９】
また、請求項１〜請求項１６の何れかに記載の入力装置では、請求項１８に記載のように、音声認識手段の作動開始を指示するための音声認識開始指示を受け付ける開始指示手段を備え、音声認識手段が、開始指示手段が音声認識開始指示を受け付けると動作を開始するようにしてもよい。このように構成された入力装置によれば、使用者が所望するときに、入力装置に音声認識を開始させることができる。
【００３０】
なお、車両に搭載される表示装置は、ナビゲーション装置に代表されるように、その表示画面は小さい。そこで、請求項１〜請求項１８の何れかに記載の入力装置は、請求項１９に記載のように、車両に搭載されるようにするとよい。このように構成された入力装置によれば、車両に搭載される表示装置の表示画面が小さくても、所望の入力キーを迅速且つ正確に選択することが容易になる。
【発明を実施するための最良の形態】
【００３１】
以下に本発明の実施形態について図面とともに説明する。
図１は、本発明が適用された実施形態のナビゲーション装置１の構成を示すブロック図である。
【００３２】
ナビゲーション装置１は、車両に搭載され、図１に示すように、車両の現在位置を検出する位置検出器１１と、運転者が発話した音声に基づく電気信号を出力するマイクロフォン１２と、地図表示画面やＴＶ画面等の各種表示を行うための表示装置１３と、各種の案内音声等を出力するための音声出力部１４と、ユーザからの各種指示を入力するための操作スイッチ群１５と、マイクロフォン１２に音声を入力するときに運転者により操作されるトークスイッチ１６と、地図データや各種の情報を記憶可能なデータ記憶装置１７と、上述の位置検出器１１，マイクロフォン１２，操作スイッチ群１５，トークスイッチ１６，及びデータ記憶装置１７からの入力に応じて各種処理を実行し、表示装置１３，音声出力部１４及びデータ記憶装置１７を制御する制御部１８とを備えている。
【００３３】
これらのうち位置検出器１１は、ＧＰＳ(Global Positioning System）用の人工衛星からの送信電波をＧＰＳアンテナを介して受信し、車両の位置，方位等を検出するＧＰＳ受信機１１ａと、車両に加えられる回転運動の大きさを検出するジャイロスコープ１１ｂと、車両の前後方向の加速度等から距離を検出するための距離センサ１１ｃと、地磁気から進行方位を検出するための地磁気センサ１１ｄとを備えている。そして、これら各センサ等１１ａ〜１１ｄは、各々が性質の異なる誤差を有しているため、互いに補完しながら使用するように構成されている。なお、精度によっては、上述したうちの一部のセンサで構成してもよく、またステアリングの回転センサや各転動輪の車輪センサ等を用いてもよい。
【００３４】
またマイクロフォン１２は、運転者が音声を入力（発話）するとその入力した音声に基づく電気信号（音声信号）を制御部１８に出力するものである。このマイクロフォン１２を介して入力される音声コマンドによって、ナビゲーション装置１の操作が可能なように構成されている。
【００３５】
また表示装置１３は、カラー表示装置であり、液晶ディスプレイ，プラズマディスプレイ，ＣＲＴ，有機ＥＬなどがあるが、そのいずれを用いてもよい。表示装置１３の表示画面には、位置検出器１１にて検出した車両の現在位置とデータ記憶装置１７より入力された地図データとから特定した現在地を示すマーク，目的地までの誘導経路，名称，目印，各種施設のマーク等の付加データとを重ねて表示することができる。
【００３６】
また操作スイッチ群１５は、表示装置１３の表示画面上に設置されるタッチパネル及び表示装置１３の周囲に設けられたメカニカルなキースイッチである。なおタッチパネルと表示装置１３とは積層一体化されており、タッチパネルには、感圧方式，電磁誘導方式，静電容量方式，あるいはこれらを組み合わせた方式など各種の方式があるが、そのいずれを用いてもよい。
【００３７】
またトークスイッチ１６は、運転席にいる運転者が操作し易いように、車両のステアリングに設置される。
またデータ記憶装置１７は、位置特定の精度向上のためのいわゆるマップマッチング用データ，地図データ，マークデータを含む各種データおよびナビゲーション装置１を動作させるために制御部１８が実行するナビゲーションプログラムや、音声認識を行うためのデータ（以下、辞書データという）を格納する音声認識辞書１７ａを記憶するための装置である。これらのデータの記録媒体としては、そのデータ量からハードディスクなどの磁気記憶装置を用いている。
【００３８】
また制御部１８は、ＣＰＵ，ＲＯＭ，ＲＡＭ，Ｉ／Ｏ及びこれらの構成を接続するバスラインなどからなる周知のマイクロコンピュータを中心に構成されており、データ記憶装置１７に記憶されたプログラムに基づいて、位置検出器１１からの各検出信号に基づき座標及び進行方向の組として車両の現在位置を算出し、データ記憶装置１７から読み込んだ現在位置付近の地図等を表示装置１３に表示する地図表示機能や、データ記憶装置１７に格納された地点データに基づき、操作スイッチ群１５の操作や、マイクロフォン１２を介した音声入力に従って目的地となる施設を選択し、現在位置から目的地までの最適な経路を自動的に求める経路計算（例えば、ダイクストラ法）を行って経路案内を行う経路案内機能や、マイクロフォン１２と音声出力部１４を介して運転者との対話を行いながら運転者からの音声コマンドを入力することによってナビゲーション装置１を制御する対話機能（エージェント機能）を備える。
【００３９】
このように構成されたナビゲーション装置１において、制御部１８は、操作スイッチ群１５の操作とマイクロフォン１２を介した音声入力とにより文字やコマンドを入力する入力処理を実行する。
【００４０】
まず、制御部１８が実行する入力処理の手順を図２を用いて説明する。図２は入力処理を示すフローチャートである。この入力処理は、当該処理が実行されていない状態でトークスイッチ１６が操作されるごとに実行が開始される処理である。
【００４１】
入力処理が実行されると、制御部１８は、まずＳ１０にて、名称入力画面２０を表示装置１３に表示させる。名称入力画面２０には、図３（ａ）に示すように、５０音の平仮名等の文字を入力するための文字キー２１と、入力された文字を表示する入力文字表示部２２と、入力文字表示部２２に表示された文字を確定するための確定キー２３ａや、過去に入力した文字列を表示させるための履歴キー２３ｂ等を含む機能キー２３とが含まれている。以下、文字キー２１と機能キー２３をまとめて入力キーという。
【００４２】
そしてＳ２０にて、マイクロフォン１２に音声が入力したか否かを判断する。ここで音声が入力していない場合には（Ｓ２０：ＮＯ）、Ｓ２０の処理を繰り返し、マイクロフォン１２に音声が入力されるまで待機する。一方、音声が入力した場合には（Ｓ２０：ＹＥＳ）、Ｓ３０にて、音声認識を行う。具体的には、まず、マイクロフォン１２に入力した音声を分析して、音声認識辞書１７ａに格納された辞書データと照合することにより、入力した音声と辞書データとの一致度（以下、尤度という）を算出する。そして、予め設定された候補特定条件（例えば、尤度が５０％以上）に基づいて尤度が高い候補を、音声認識の結果の候補（以下、認識候補ともいう）として特定する。なお、認識候補は１つであってもよいし複数であってもよい。
【００４３】
その後Ｓ４０にて、Ｓ３０での音声認識結果に基づき、入力処理を終了させるための終了コマンドが入力されたか否かを判断する。尚、この終了コマンドが入力されたか否かは、最も尤度が高い認識候補が「おわり」という単語であるか否かにより判断される。
【００４４】
ここで、終了コマンドが入力された場合には（Ｓ４０：ＹＥＳ）、入力処理を終了する。一方、終了コマンドが入力されていない場合には（Ｓ４０：ＮＯ）、Ｓ５０にて、認識候補に対応する文字キー２１または機能キー２３（以下、認識候補キーという）の拡大率を尤度に基づいて決定する。例えば、認識候補のなかで最も尤度が高いものの拡大率を３００％、２番目に尤度が高いものの拡大率を２００％、３番目に尤度が高いものの拡大率を１５０％というように、尤度が高い順に拡大率が高くなるように決定する。
【００４５】
更にＳ６０にて、認識候補キーを拡大した後の名称入力画面２０のレイアウトを決定する。具体的には、認識結果が文字キー２１を指定するものである場合には、文字キー２１間の距離（図３（ｂ）の距離Ｄ１を参照）が予め設定された配置最低距離以上となるように文字キー２１の配置を変更する。一方、認識結果が機能キー２３を指定するものである場合には、拡大表示される機能キー２３が、その周辺の拡大表示されない文字キー２１及び機能キー２３の前面に重なるようにする。
【００４６】
そしてＳ７０にて、Ｓ６０で決定したレイアウトとなるように名称入力画面２０を表示装置１３に表示させる。つまり、認識候補キーを拡大表示する。
これにより、認識結果が文字キー２１を指定するものである場合に、名称入力画面２０は、例えば図３（ｂ）に示すように、認識候補キー（図３（ｂ）の文字キー２１ａ，２１ｂ，２１ｃを参照）が拡大された場合に、全ての文字キー２１が互いに重ならないように表示される。なお図３（ｂ）では、１位の認識候補が文字「ひ」、２位の認識候補が文字「い」及び「り」である場合を示している。
【００４７】
一方、認識結果が機能キー２３を指定するものである場合に、名称入力画面２０は、例えば図３（ｃ）に示すように、拡大された認識候補キー（図３（ｃ）の機能キー２３ｂを参照）が、その周辺の文字キー２１及び機能キー２３の前面に重なるように表示される。
【００４８】
なお、認識候補キーを拡大表示するときには、認識候補キーが徐々に拡大するようにしてアニメーション表示する。
その後Ｓ８０にて、表示装置１３の表示画面上に設置されるタッチパネルが押圧される操作（以下、タッチ操作という）が行われたか否かを判断する。ここで、タッチ操作が行われた場合には（Ｓ８０：ＹＥＳ）、タッチ操作された文字キー２１または機能キー２３による入力を確定し、Ｓ１１０に移行する。
【００４９】
一方、タッチ操作が行われない場合には（Ｓ８０：ＮＯ）、Ｓ１００にて、文字キー２１または機能キー２３が拡大表示されてから予め設定された拡大解除時間（例えば、５秒）が経過したか否かを判断する。ここで、拡大解除時間が経過していない場合には（Ｓ１００：ＮＯ）、Ｓ８０に移行し、上述の処理を繰り返す。一方、拡大解除時間が経過した場合には（Ｓ１００：ＹＥＳ）、Ｓ１１０に移行する。
【００５０】
そしてＳ１１０に移行すると、名称入力画面２０における文字キー２１及び機能キー２３の表示を、文字キー２１または機能キー２３が拡大表示される前の表示（以下、拡大前通常表示という）に戻す。なお、認識候補キーを拡大前通常表示に戻すときには、認識候補キーが徐々に縮小するようにしてアニメーション表示する。
【００５１】
そして、文字キー２１が拡大前通常表示に戻ると、Ｓ２０に移行し、上述の処理を繰り返す。
このように構成されたナビゲーション装置１では、マイクロフォン１２が音声を入力し、音声入力手段に入力した音声を認識する（Ｓ３０）。また表示装置１３及び操作スイッチ群１５は、文字キー２１及び機能キー２３（入力キー）を表示するとともに、表示された入力キーを指定可能に構成されている。そして、音声認識による認識結果に基づいて、認識結果に対応する入力キーを拡大表示にするように、表示装置１３を制御する（Ｓ５０〜Ｓ７０）。
【００５２】
このように構成されたナビゲーション装置１によれば、表示装置１３の表示画面上に多くの入力キーが配置されて個々の入力キーが小さい場合であっても、多数の入力キーの中から所望の入力キーが拡大される。このため、表示装置１３の表示画面上において所望の入力キーを指で押すための領域を確保し易くなる。これにより使用者は、所望の入力キーを迅速且つ正確に選択することが容易になる。
【００５３】
また、小さい入力キー上に文字（以下、入力キー上に記載された文字を「キー文字」という）が表示されておりキー文字が視認し難い場合であっても、入力キーの拡大表示によってキー文字も拡大表示することができるので、視覚による入力キーの識別が容易になる。これにより、所望の入力キーを迅速且つ正確に選択することが容易になる。
【００５４】
また、音声認識の結果の候補（認識候補）を１つまたは複数認識するとともに、認識候補のそれぞれについて尤度を算出し（Ｓ３０）、尤度に基づいて、尤度が大きいほど入力キーが大きくなるように、認識候補に対応する入力キーを拡大表示にする（Ｓ５０〜Ｓ７０）。
【００５５】
このように構成されたナビゲーション装置１によれば、入力キーの大きさが大きいほど音声認識の尤度が大きいということを、使用者に認識させることができる。このため、認識候補が複数存在し、複数の認識候補に対応する入力キーがそれぞれ拡大表示された場合に、使用者が、拡大表示された複数の入力キーの中から最も大きい入力キーを探し出せば、その入力キーが所望の入力キーである可能性が高くなる。これにより使用者は、複数の入力キーが拡大表示された場合に、所望の入力キーを迅速且つ正確に選択することが容易になる。
【００５６】
また、タッチ操作により入力キーが指定されるので、入力キーが拡大表示された後の入力キー確定を、使用者が行うタッチ操作によって行うことができる（Ｓ８０，Ｓ９０）。
また、入力キーを拡大表示にする場合に、入力キーが徐々に拡大するようにして表示する（Ｓ７０）。このため、通常の大きさから拡大された後の大きさに入力キーが突然変化するように表示した場合と比較して、入力キーが拡大したことを使用者に認識させ易くなる。つまり、表示装置１３の表示画面に表示された複数の入力キーの中から、拡大表示された入力キーを認識させ易くなる。これにより使用者は、所望の入力キーを迅速且つ正確に選択することが更に容易になる。
【００５７】
また、入力キーが拡大表示されてから拡大解除時間が経過すると、拡大表示された入力キーを、拡大表示される前の表示（拡大前通常表示）にする（Ｓ１００，Ｓ１１０）。これにより、拡大表示を解除して拡大前通常表示にするための操作を省略することができ、使い勝手が向上する。
【００５８】
また、拡大表示された入力キーを拡大前通常表示にする場合に、入力キーが徐々に縮小するようにして表示する（Ｓ１１０）。これにより、拡大された後の大きさから通常の大きさに入力キーが突然変化するように表示した場合と比較して、拡大前通常表示に戻ったことを使用者に認識させ易くなる。
【００５９】
また、文字キー２１が拡大された場合に、全ての文字キー２１が互いに重ならないように表示する（Ｓ７０）。このため、拡大表示された入力キーだけでなく、それ以外の入力キーも表示装置１３に表示される。これにより使用者は、拡大表示された入力キーの中に所望の入力キーが存在しない場合であっても、拡大表示された入力キー以外の入力キーの中から所望の入力キーを探し出すことができる。
【００６０】
また、拡大された機能キー２３が、その周辺の文字キー２１及び機能キー２３の前面に重なるように表示される。このため、入力キーが互いに重ならないようにして表示する場合と比較して、重ならないようにして表示するための処理を省略することができる。これにより、Ｓ５０〜Ｓ７０の処理を簡略化できる。
【００６１】
また、入力処理は、当該処理が実行されていない状態でトークスイッチ１６が操作されるごとに実行が開始される。このため、使用者が所望するときに、ナビゲーション装置１に音声認識を開始させることができる。
【００６２】
以上説明した実施形態において、ナビゲーション装置１は本発明における入力装置、マイクロフォン１２は本発明における音声入力手段、Ｓ３０の処理は本発明における音声認識手段、表示装置１３及び操作スイッチ群１５は本発明における表示入力手段、Ｓ５０〜Ｓ１１０の処理は本発明における表示制御手段、トークスイッチ１６は本発明における開始指示手段である。
【００６３】
以上、本発明の一実施例について説明したが、本発明は上記実施例に限定されるものではなく、本発明の技術的範囲に属する限り種々の形態を採ることができる。
例えば上記実施形態においては、表示装置１３の表示画面上に設置されるタッチパネルが押圧される操作（タッチ操作）により入力キーを選択するものを示したが、これに限られるものではなく、例えばポインタで指し示すなどの操作によって、入力キーを選択するものであってもよい。
【００６４】
また上記実施形態においては、拡大表示される前の形状を保ったまま認識候補キーを拡大させるものを示したが、拡大表示前後で形状を異ならせるようにしてもよい。また、拡大された認識候補キーの大きさは、拡大されていないキーと比較して使用者が「大きい」と認知できればよい。
【００６５】
また上記実施形態においては、尤度が高い順に拡大率が段階的に高くなるように決定するものを示したが、尤度の値に応じて拡大率が連続的に高くなるように決定するようにしてもよい。
【００６６】
また上記実施形態においては、文字キー２１間の距離が配置最低距離以上となるように文字キー２１の配置を変更するものを示したが（Ｓ５０）、各キー間および画面端部との間に仮想的なバネを設定し、力学シミュレーションにより画面全体で均衡するように決定するなど、物理的モデルを適用したシミュレーションを利用して、文字キー２１の配置を変更するようにしてもよい。
【００６７】
また上記実施形態においては、文字キー２１を拡大表示にする場合において、表示装置１３に表示されている文字キー２１が互いに重ならないようにして表示するものを示したが（Ｓ５０）、文字キー２１の一部で重なる部分があるように、即ち、文字キー２１の一部で非表示とならない部分があるようにしてもよい。これにより使用者は、拡大表示された入力キーの中に所望の入力キーが存在しない場合であっても、拡大表示された入力キー以外の入力キーの中から所望の入力キーを探し出すことができる。
【００６８】
また、文字キー２１を拡大表示にする場合において、拡大表示される文字キー２１以外の文字キー２１が非表示となるようにしてもよい。これにより、認識候補キーのみが表示される。このため、使用者は、入力キーの大きさに基づいて、認識候補キーであるか否かを判断する必要がなくなる。これにより使用者は、所望の入力キーを迅速且つ正確に選択することが更に容易になる。
【００６９】
また上記実施形態においては、尤度が高い認識候補に対応する文字キー２１を拡大表示するものを示したが、尤度が低い認識候補に対応する文字キー２１を縮小表示するようにしてもよい。これにより、拡大表示された入力キー（尤度が高い入力キー）と、縮小表示された入力キー（尤度が低い入力キー）とを比較した場合において、拡大表示された入力キーの相対的な大きさが大きくなる。このため、尤度が高い入力キーを、使用者に更に認識させ易くすることができる。
【００７０】
また、認識候補となっていない文字に対応する文字キー２１を縮小表示するようにしてもよい。これにより、拡大表示された入力キー（認識候補キー）と、それ以外の入力キー（認識候補でない入力キー）とを比較した場合において、拡大表示された入力キーの相対的な大きさが大きくなる。このため、拡大表示された入力キー（認識候補キー）を、使用者に更に認識させ易くすることができる。
【００７１】
更に、文字キー２１を縮小表示するときには、文字キー２１が徐々に表示するようにしてアニメーション表示するようにしてもよい。これにより、通常の大きさから縮小された後の大きさに入力キーが突然変化するように表示した場合と比較して、入力キーが縮小したことを使用者に認識させ易くなる。
【００７２】
そして、文字キー２１が縮小表示されてから、予め設定された縮小解除時間（例えば、５秒）が経過すると、縮小表示された文字キー２１を、縮小表示される前の表示（以下、縮小前通常表示という）に戻すようにしてもよい。これにより、縮小表示を解除して縮小前通常表示にするための操作を省略することができ、使い勝手が向上する。
【００７３】
更に、縮小表示された入力キーを縮小前通常表示にする場合に、入力キーが徐々に拡大するようにしてアニメーション表示するようにしてもよい。これにより、縮小された後の大きさから通常の大きさに入力キーが突然変化するように表示した場合と比較して、縮小前通常表示に戻ったことを使用者に認識させ易くなる。
【００７４】
また、縮小表示前後で形状を異ならせるようにしてもよい。更に、縮小された認識候補キーの大きさは、縮小されていないキーと比較して使用者が「小さい」と認知できればよい。また、同時に認識候補となる可能性の小さい文字キー２１の組合せは、事前に作成されたデータや、Ｓ３０の処理で算出された尤度を用いて決定してもよい。
【００７５】
また上記実施形態においては、トークスイッチ１６が操作されることで使用者が音声認識の開始を指示するものを示したが、ナビゲーション装置１が起動している間、即ち、ナビゲーション装置１の電源がオンになってから電源がオフになるまでの間に、音声認識を常時行うようにしてもよい。これにより、使用者の独り言や他人との会話での発話を音声認識して、その中に含まれる語彙に対応するキーを拡大することができる。例えば、使用者が「えーと、履歴で探すと見つかるかなあ」と発話すると、履歴キー２３ｂが拡大表示されるようにすることができる。
【００７６】
また上記実施形態においては、「おわり」と発話されたときに入力処理を終了するものを示したが（Ｓ４０）、発話が一定時間なかったときや、音声認識が動作状態にある場合において再度トークスイッチ１６が操作されたときに、入力処理を終了するようにしてもよい。
【図面の簡単な説明】
【００７７】
【図１】ナビゲーション装置１の構成を示すブロック図である。
【図２】入力処理を示すフローチャートである。
【図３】名称入力画面２０を示す図である。
【符号の説明】
【００７８】
１…ナビゲーション装置、１１…位置検出器、１２…マイクロフォン、１３…表示装置、１４…音声出力部、１５…操作スイッチ群、１６…トークスイッチ、１７…データ記憶装置、１７ａ…音声認識辞書、１８…制御部、２０…名称入力画面、２１…文字キー、２２…入力文字表示部、２３…機能キー
【図１】
2009139544.tif 000003
【図２】
2009139544.tif 000004
【図３】
2009139544.tif 000005